(57)【要約】本発明は、ユーザに既に露出されたり認識されたりした広告の代わりに他の広告を露出させる広告サービス方法およびそのシステムに関する。本発明は、広告をユーザに露出させるステップと、露出された広告がユーザに認識されたかを判断するステップと、露出された広告がユーザに認識された場合に、露出された広告と関連した他の広告をユーザに露出させるステップとを含むことを特徴とする広告サービス方法を提供する。本発明によれば、ユーザに広告を露出させるときに、ユーザに認識された広告と関連した他の広告を露出させることにより、さらに多様な広告をユーザに提供することができる。【選択図】図３
2009540420.tif 000002
【特許請求の範囲】
【請求項１】
広告サービス方法であって、
広告をユーザに露出させるステップと、
露出された広告がユーザに認識されたかを判断するステップと、
前記露出された広告がユーザに認識された場合に、前記露出された広告と関連した他の広告を前記ユーザに露出させるステップと、
を含むことを特徴とする広告サービス方法。
【請求項２】
露出された広告が前記ユーザに認識されたかを判断する前記ステップは、
広告素材または広告サービスシステムによって前記露出された広告が前記ユーザに認識されたかを判断することを特徴とする請求項１に記載の広告サービス方法。
【請求項３】
前記広告素材は、
前記露出された広告に対するマウスオーバまたはクリック情報を含む相互作用データをクライアントテンプレートを介して感知し、
露出された広告が前記ユーザに認識されたかを判断する前記ステップは、
前記広告素材によって前記感知された相互作用データを用いて前記露出された広告が前記ユーザに認識されたかを判断することを特徴とする請求項２に記載の広告サービス方法。
【請求項４】
前記広告素材は、
前記露出された広告に対するマウスオーバまたはクリック情報を含む相互作用データをクライアントテンプレートを介して感知し、前記感知された相互作用データを前記広告サービスシステムに送信し、
露出された広告が前記ユーザに認識されたかを判断する前記ステップは、
前記広告サービスシステムでサーバテンプレートを介して前記広告素材から送信された相互作用データを受信し、前記受信された相互作用データを用いて前記露出された広告が前記ユーザに認識されたかを判断することを特徴とする請求項２に記載の広告サービス方法。
【請求項５】
前記露出された広告と関連した他の広告を前記ユーザに露出させる前記ステップは、
前記露出された広告がシリーズ広告の一部分である場合に、全体シリーズ広告のうちで前記ユーザに認識されていないシリーズ広告の他の一部分を前記ユーザに露出させることを特徴とする請求項１に記載の広告サービス方法。
【請求項６】
前記露出された広告と関連した他の広告を前記ユーザに露出させる前記ステップは、
前記露出されたシリーズ広告がストーリ順序を有する広告である場合に、前記露出されたシリーズ広告に対する次のストーリ順序のシリーズ広告を順次に前記ユーザに露出させることを特徴とする請求項１に記載の広告サービス方法。
【請求項７】
前記露出された広告と関連した他の広告を前記ユーザに露出させる前記ステップは、
前記露出された広告が複数のテーマ広告のうちの１つのテーマ広告である場合に、前記複数のテーマ広告のうちで前記ユーザに露出されたテーマ広告を除いた他のテーマ広告を前記ユーザに露出させることを特徴とする請求項１に記載の広告サービス方法。
【請求項８】
前記露出された広告と関連した他の広告を前記ユーザに露出させる前記ステップは、
前記露出された広告が複数のテーマ広告のうちのいずれか１つのテーマ広告である場合に、前記ユーザから前記複数のテーマ広告のうちで前記露出されたテーマ広告以外の他のテーマ広告が選択されるステップと、
前記選択されたテーマ広告を前記ユーザに露出させるステップと、
を含むことを特徴とする請求項１に記載の広告サービス方法。
【請求項９】
請求項１〜８のうちのいずれか一項の方法を実行させるためのプログラムを記録したコンピュータ読み取り可能な記録媒体。
【請求項１０】
広告を提供する広告提供部と、
前記広告提供部から提供された広告をユーザに露出させ、露出された広告が前記ユーザに認識された場合に、前記広告と関連した他の広告を前記ユーザに露出させる広告露出部と、
を備えることを特徴とする広告サービスシステム。
【請求項１１】
前記提供された広告が前記ユーザに認識された広告であるかを判断する判断部をさらに備え、
前記広告露出部は、
前記判断部によって前記提供された広告が前記ユーザに認識された広告であると判断されれば、前記広告と関連した他の広告を前記ユーザに露出させることを特徴とする請求項１０に記載の広告サービスシステム。
【請求項１２】
前記判断部は、
前記提供された広告に対するマウスオーバまたはクリックを感知し、前記感知されたマウスオーバまたはクリックの有無によって前記露出された広告が前記ユーザに認識されたかを判断することを特徴とする請求項１０に記載の広告サービスシステム。
【請求項１３】
前記広告露出部は、
前記提供された広告がストーリ順序を有するストーリーテリング広告である場合に、前記ストーリーテリング広告のうちで前記ユーザに認識されていないストーリ順序のストーリーテリング広告を前記ユーザに露出させることを特徴とする請求項１０に記載のマルチ広告サービスシステム。
【請求項１４】
前記ユーザから露出された広告と関連した他の広告が選択される選択部をさらに備え、
前記広告露出部は、
前記選択された広告を前記ユーザに露出させることを特徴とする請求項１０に記載のマルチ広告サービスシステム。
【発明の詳細な説明】
【技術分野】
【０００１】
本発明は、インターネットを用いた広告サービス方法およびそのシステムに関し、より詳細には、ユーザに既に露出されたり認識されたりした広告の代わりに他の広告を露出させる広告サービス方法およびそのシステムに関する。
【背景技術】
【０００２】
一般的に、インターネットを用いた広告サービス方法は、インターネットユーザが、自分が所望するウェブサイトに接続すれば、接続されたウェブサイトのウェブページで指定された広告領域を介してユーザに広告しようとする広告内容を露出させる。
【０００３】
このような従来のインターネットを用いた広告サービス方法は、ユーザがウェブサイトに接続するたびに同じ広告内容を露出させるため、広告内容への興味を喪失するようになるという問題点がある。
【０００４】
したがって、最近の広告は、同じ商品に対して１つの広告内容のみが存在するのではなく、多様なストーリーテリング（ｓｔｏｒｙｔｅｌｌｉｎｇ）構造またはテーマ（ｔｈｅｍｅ）を有してユーザに広告商品に対する関心を誘導する方向に発展している。
【０００５】
しかしながら、従来のインターネットを用いた広告サービス方法は、このようなストーリーテリング構造または多様なテーマ構造を有する製品に対する広告を用いる場合に、従来のように同じ広告のみが示されるようになれば、広告の効率性が低下するという問題点がある。
【０００６】
このように、ユーザに広告素材に対して同じ広告のみを露出させるものではないため、ストーリーテリング構造の広告内容またはテーマ広告をより効率的に露出させることができる方案が切に求められている。
【発明の開示】
【発明が解決しようとする課題】
【０００７】
本発明は、上述したような従来技術を改善するために案出されたものであって、インターネットウェブページを介してユーザに露出された広告がユーザに認識された場合に、露出された広告以外の他の広告を露出させる広告サービス方法およびそのシステムを提供することを目的とする。
【０００８】
また、本発明は、インターネットウェブページを介してユーザに認識された広告である場合に、同じ広告主の他の広告内容を露出させる広告サービス方法およびそのシステムを提供することを他の目的とする。
【０００９】
また、本発明は、インターネットウェブページを介して露出された広告がユーザに既に認識された広告である場合に、露出された広告に対する他のテーマ広告を露出させる広告サービス方法およびそのシステムを提供することを他の目的とする。
【００１０】
また、本発明は、インターネットウェブページを介して露出された広告と関連した複数の広告が存在する場合に、複数の広告のうちでユーザによって選択された広告を露出させる広告サービス方法およびそのシステムを提供することを他の目的とする。
【００１１】
さらに、本発明は、インターネットウェブページを介して提供される広告がストーリ順序を有するストーリーテリング広告である場合に、ストーリーテリング広告のうちのいずれか１つのストーリ広告が露出されてユーザに認識された場合に、露出されたストーリ広告に対する次の順のストーリ広告を順次にユーザに露出させる広告サービス方法およびそのシステムを提供することをさらに他の目的とする。
【課題を解決するための手段】
【００１２】
上述した目的を達成し、従来技術の問題点を解決するために、本発明は、広告をユーザに露出させるステップと、露出された広告が前記ユーザに認識されたかを判断するステップと、前記露出された広告が前記ユーザに認識された場合に、前記露出された広告と関連した他の広告を前記ユーザに露出させるステップとを含むことを特徴とする広告サービス方法を提供する。
【００１３】
本発明の他の一側に係わる広告サービスシステムは、広告を提供する広告提供部と、前記広告提供部から提供された広告をユーザに露出させ、露出された広告が前記ユーザに認識された場合に、前記広告と関連した他の広告を前記ユーザに露出させる広告露出部とを備える。
【発明を実施するための最良の形態】
【００１４】
以下、添付の図面を参照しながら、本発明の実施形態に係る広告サービス方法およびそのシステムについて詳しく説明する。
【００１５】
図１は、本発明に係る広告サービスシステムとユーザ端末機との連動関係を示す図である。
【００１６】
図１を参照すれば、広告サービスシステム１００は、広告コードおよびサーバテンプレート（ｓｅｒｖｅｒ  ｔｅｍｐｌａｔｅ）を管理する。広告コードは、サーバテンプレートで広告商品を区分することができる区分子（識別子）である。広告サービスシステム１００は、インターネット１０５を介してユーザ端末機１１０ａ、１１０ｂが広告サービスシステム１００のウェブサイトに接続する場合に、ユーザ端末機１１０ａ、１１０ｂに提供されるウェブサイトのウェブページ画面の広告領域に広告主によって依頼された広告が露出されるように広告素材をユーザ端末機１１０ａ、１１０ｂに提供する。広告素材については、図２を参照しながらより詳しく説明する。
【００１７】
ユーザ端末機１１０ａ、１１０ｂは、広告サービスシステム１００から提供される広告素材を広告領域に露出させる。このとき、ユーザ端末機１１０ａ、１１０ｂは、広告領域に露出される広告に対するマウスオーバまたはクリック情報を含む相互作用データを広告サービスシステム１００に送信する。相互作用データは、ユーザが広告に対してマウスオーバまたはクリックを行った場合に、ユーザに広告が示されたり認識されたりしたと判断する基準データである。広告サービスシステム１００は、ユーザ端末機１１０ａ、１１０ｂから送信された相互作用データを受信し、相互作用データをユーザ情報と対応させてデータベースに格納する。広告サービスシステム１００は、ユーザ端末機１１０ａ、１１０ｂがインターネット１０５を介してウェブページに接続すれば、データベースに格納されたユーザ情報および相互作用データを参照して、ウェブページ画面の広告領域にユーザに認識された広告以外の他の広告が露出されるように広告データを提供する。
【００１８】
ユーザ端末機１１０ａ、１１０ｂは、広告領域に露出された広告が複数のテーマ広告またはシリーズ広告である場合に、ユーザから複数のテーマ広告またはシリーズ広告が選択され、広告選択情報を広告サービスシステム１００に送信する。広告サービスシステム１００は、ユーザ端末機１１０ａ、１１０ｂから送信される広告選択情報を受信し、受信された選択情報に応じてユーザによって選択されたテーマ広告またはシリーズ広告がユーザ端末機１１０ａ、１１０ｂを介してユーザに露出されるように広告サービスを提供する。
【００１９】
一方、ユーザ端末機１１０ａ、１１０ｂは、露出された広告に対するマウスオーバまたはクリックに基づき、ユーザに広告が既に示された広告であるのかまたは認識された広告であるのかを自体的に判断することもできる。
【００２０】
広告がユーザに認識された広告である場合に、ユーザ端末機１１０ａ、１１０ｂは、広告サービスシステム１００から提供される広告素材に基づいて、露出された広告と関連した他の広告をユーザに露出させる。
【００２１】
露出された広告と関連した他の広告を露出させる一例として、ユーザ端末機１１０ａ、１１０ｂは、提供される広告素材がシリーズ広告である場合に、ユーザに全体シリーズ広告のうちの一部分が認識されれば、全体シリーズ広告のうちで認識された一部分を除いた他の部分のシリーズ広告をユーザに露出させる。また、ユーザ端末機１１０ａ、１１０ｂは、認識された広告が全体シリーズ広告のうちの一部分である場合に、全体シリーズ広告のうちでユーザに認識された部分に対する次の部分のシリーズ広告を順次にユーザに露出させることもできる。例えば、露出された広告が第１話〜第３話のストーリーテリング構造を有するシリーズ広告である場合にユーザに第１話ストーリ広告が認識された場合、ユーザに第２話ストーリ広告を露出させた後に第２話ストーリ広告がユーザに認識されれば、第３話ストーリ広告をユーザに露出させることができる。このように、本発明に係る広告サービスシステム１００は、複数のストーリ広告をストーリ順序に従って順次にユーザに露出させることができる。
【００２２】
露出された広告と関連した他の広告を露出させる他の一例として、ユーザ端末機１１０ａ、１１０ｂは、提供される広告が複数のテーマ広告である場合に、ユーザに認識されたテーマ広告以外の他のテーマ広告をユーザに露出させる。例えば、広告が第１〜第７テーマ広告を含む場合に、ユーザ端末機１１０ａ、１１０ｂは、ユーザに認識されたテーマ広告が第１テーマ広告であれば、第２〜第７テーマ広告をユーザに露出させることができる。
【００２３】
露出された広告と関連した他の広告を露出させるさらに他の一例として、ユーザ端末機１１０ａ、１１０ｂは、提供される広告が複数のテーマ広告である場合に、ユーザから選択されたテーマ広告をユーザに露出させる。例えば、提供される広告が第１〜第７テーマ広告を含む場合に、ユーザ端末機１１０ａ、１１０ｂは、ユーザに認識された広告が第１テーマ広告であり、ユーザから第７テーマ広告が選択されれば、選択された第７テーマ広告をユーザに露出させることができる。
【００２４】
図２は、本発明に係る広告素材、クライアントテンプレートおよびサーバテンプレートを示す図である。
【００２５】
図２を参照すれば、広告素材２００は、クライアントテンプレート（ｃｌｉｅｎｔ  ｔｅｍｐｌａｔｅ）２０２が挿入される。広告素材２００は、広告サービスシステム１００によってユーザ端末機１１０ａ、１１０ｂの広告領域に提供される。広告素材２００は、クライアントテンプレート２０２を介してユーザによって広告領域に露出された広告に対するマウスオーバまたはクリック情報を含む相互作用データを感知（検出）し、感知された相互作用データを用いて露出された広告がユーザによって認識されたか否かを判断する。また、広告素材２００は、クライアントテンプレート２０２によって感知された相互作用データを広告サービスシステム１００に送信する。相互作用データは、露出された広告に対する広告コードを含む。
【００２６】
広告サービスシステム１００は、サーバテンプレート２０１を介して広告素材２００から送信される相互作用データを受信し、受信された相互作用データを用いて露出された広告がユーザによって認識されたかを判断する。
【００２７】
このように、広告サービスシステム１００は、広告素材２００から送信される相互作用データから広告コードを認識し、広告コードに該当するログ（ｌｏｇ）のみを収集して共有することによって不必要なデータの生成を防ぎ、データ通信の過度なトラフィックを防ぐことができる。
【００２８】
図３は、本発明の一実施形態に係る広告サービス方法の流れを示す図である。
【００２９】
図３を参照すれば、ステップＳ３１０で、広告サービスシステムは、広告をユーザに露出させる。広告サービスシステムは、ユーザ端末機がインターネットを介して広告サービスシステムに提供するウェブサイトページに接続する場合に、接続されたウェブサイトページの広告領域に広告を露出させる。
【００３０】
ステップＳ３２０で、広告サービスシステムは、露出された広告がユーザに認識されたか否かを判断する。すなわち、ステップＳ３２０で、広告素材または広告サービスシステムは、露出された広告がユーザに認識されたかを判断する。広告素材は、クライアントテンプレートを介して露出された広告に対するマウスオーバ（ｍｏｕｓｅ  ｏｖｅｒ）またはクリック（ｃｌｉｃｋ）情報を含む相互作用データを感知し、感知された相互作用データを広告サービスシステムに送信する。これにより、広告サービスシステムは、サーバテンプレートを介して送信された相互作用データを受信し、受信された相互作用データを分析して露出された広告がユーザによって認識されたかを判断する。すなわち、広告サービスシステムは、受信された相互作用データが露出された広告に対するマウスオーバである場合に、露出された広告がユーザに認識されたものと判断することができる。さらに、広告サービスシステムは、受信された相互作用データが露出された広告に対するクリックである場合に、露出された広告がユーザに認識されたものと判断することができる。
【００３１】
露出された広告がユーザに認識された場合に、ステップＳ３３０で、広告サービスシステムは、露出された広告と関連した他の広告をユーザに露出させる。すなわち、広告サービスシステムは、露出された広告がユーザに認識された広告である場合に、広告サービスシステムは、露出された広告と関連した他の広告を広告領域に露出させる。露出された広告と関連した他の広告は、露出された広告と広告主が同じ広告であり、露出された広告と広告内容が異なる広告である。
【００３２】
露出された広告と関連した他の広告をユーザに露出させる一例として、提供される広告がシリーズ広告である場合に、ステップＳ３３０で、広告サービスシステムは、露出された広告が全体シリーズ広告の一部分である場合に、全体シリーズ広告のうちでユーザに認識されていないシリーズ広告の残りの部分をユーザに露出させる。
【００３３】
露出された広告と関連した他の広告をユーザに露出させる他の一例として、露出された広告が複数のテーマ広告である場合に、ステップＳ３３０で、広告サービスシステムは、複数のテーマ広告のうちでユーザに露出されたテーマ広告を除いた他のテーマ広告をユーザに露出させる。
【００３４】
露出された広告と関連した他の広告をユーザに露出させるさらに他の一例として、ステップＳ３３０で、広告サービスシステムは、ユーザから露出された広告と関連した他の広告のうちのいずれか１つが選択され、選択された広告をユーザに露出させる。すなわち、広告サービスシステムは、ユーザから露出された広告と関連した他の広告のうちのいずれか１つが選択され、選択された広告を広告領域に露出させる。
【００３５】
選択された広告をユーザに露出させる一例として、選択された広告が複数のテーマ広告である場合に、ステップＳ３３０で、広告サービスシステムは、テーマ広告のうちでユーザに選択されたテーマ広告をユーザに露出させる。すなわち、広告サービスシステムは、露出されたテーマ広告がユーザに認識された場合に、ユーザから露出されたテーマ広告以外の他のテーマ広告のうちのいずれか１つが選択され、選択されたテーマ広告を広告領域に露出させることができる。
【００３６】
選択された広告をユーザに露出させる他の一例として、選択された広告が複数のシリーズ広告である場合に、ステップＳ３３０で、広告サービスシステムは、複数のシリーズ広告のうちでユーザに選択されたシリーズ広告をユーザに露出させる。すなわち、広告サービスシステムは、ユーザから全体シリーズ広告のうちのいずれか１つのシリーズ広告が選択され、選択されたシリーズ広告を広告領域に露出させることができる。
【００３７】
露出された広告と関連した他の広告をユーザに露出させるさらに他の一例として、ステップＳ３３０で、広告サービスシステムは、露出された広告以外の他の広告を順次にユーザに露出させる。すなわち、広告が第１〜第５シリーズ広告であり、ユーザに第１シリーズ広告のみが露出された場合に、広告サービスシステムは、露出された広告である第１シリーズ広告を除いた残りのシリーズ広告である第２〜第５シリーズ広告を順次に広告領域に露出させることができる。
【００３８】
図４は、テーマ広告による広告サービスの一例を示す図である。
【００３９】
図４を参照すれば、広告サービスシステムは、インターネットを介して接続されたユーザ端末機に提供される広告サービスシステムのウェブページ画面に含まれた広告領域に第１テーマ広告４１０を露出させる。広告サービスシステムは、第１テーマ広告４１０を露出させた後、ユーザによって第１テーマ広告４１０に対するマウスオーバまたはクリックによって第１テーマ広告４１０がユーザに認識されたものと判断されれば、広告領域に第１テーマ広告４１０を露出させずに第２テーマ広告４２０を露出させる。また、広告サービスシステムは、ユーザによって第１テーマ広告４１０の後にテーマ広告メニューが選択された場合に、第１テーマ広告４１０に対する次のテーマ広告である第２テーマ広告４２０を広告領域に露出させる。
【００４０】
広告領域に第２テーマ広告４２０を露出させた後、広告サービスシステムは、第２テーマ広告４２０がユーザに認識された場合またはユーザによって第２テーマ広告４２０に対する次の広告メニューが選択された場合に、第３テーマ広告４３０を広告領域に露出させる。広告サービスシステムは、ユーザによって第２テーマ広告４２０に対する以前の広告メニューが選択された場合に、第１テーマ広告４１０を広告領域に露出させることもできる。
【００４１】
広告領域に第３テーマ広告４３０を露出させた後、広告サービスシステムは、第３テーマ広告４３０がユーザに認識された場合またはユーザによって第３テーマ広告４３０に対する次の広告メニューが選択された場合に、第４テーマ広告４４０を広告領域に露出させる。また、広告サービスシステムは、ユーザによって第３テーマ広告４３０に対する以前の広告メニューが選択された場合に、第２テーマ広告４２０を広告領域に露出させることもできる。
【００４２】
広告領域に第４テーマ広告４４０を露出させた後、広告サービスシステムは、第４テーマ広告４４０がユーザに認識された場合またはユーザによって第４テーマ広告４４０に対する次の広告メニューが選択された場合に、第５テーマ広告４５０を広告領域に露出させる。また、広告サービスシステムは、ユーザによって第４テーマ広告４４０に対する以前の広告メニューが選択された場合に、第３テーマ広告４３０を広告領域に露出させることもできる。
【００４３】
広告領域に第５テーマ広告４５０を露出させた後、広告サービスシステムは、第５テーマ広告４５０がユーザに認識された場合またはユーザによって第５テーマ広告４５０に対する次の広告メニューが選択された場合に、第６テーマ広告４６０を広告領域に露出させる。また、広告サービスシステムは、ユーザによって第５テーマ広告４５０に対する以前の広告メニューが選択された場合に、第４テーマ広告４４０を広告領域に露出させることもできる。
【００４４】
広告領域に第６テーマ広告４６０を露出させた後、広告サービスシステムは、第６テーマ広告４６０がユーザに認識された場合またはユーザによって第６テーマ広告４６０に対する次の広告メニューが選択された場合に、第７テーマ広告４７０を広告領域に露出させる。また、広告サービスシステムは、ユーザによって第６テーマ広告４６０に対する以前の広告メニューが選択された場合に、第５テーマ広告４５０を広告領域に露出させることもできる。
【００４５】
広告領域に第７テーマ広告４７０を露出させた後、広告サービスシステムは、第７テーマ広告４７０がユーザに認識された場合またはユーザによって他のテーマ広告が選択された場合に、第７テーマ広告４７０以外の他のテーマ広告または選択されたテーマ広告を広告領域に露出させる。また、広告サービスシステムは、ユーザによって第７テーマ広告４７０に対する以前の広告メニューが選択された場合に、第６テーマ広告４６０を広告領域に露出させることもできる。
【００４６】
このように、本発明に係る広告サービスシステムは、ユーザに認識されたテーマ広告と関連した他のテーマ広告をユーザに露出させてより多様なテーマ広告をユーザに提供することにより、広告効果を増大させることができる。
【００４７】
また、本発明に係る広告サービスシステムは、ユーザからテーマ広告が選択され、選択されたテーマ広告をユーザに露出させることにより、ユーザが所望するテーマ広告を提供することができる。
【００４８】
図５は、ストーリーテリング広告による広告サービスの一例を示す図である。
【００４９】
図５を参照すれば、ストーリーテリング広告は、第１〜第３話ストーリ広告５１０〜５３０のようにストーリ順序を有する広告である。広告サービスシステムは、ユーザに第１話ストーリ広告５１０を露出させた後に第１話ストーリ広告５１０がユーザに認識されれば、第２話ストーリ広告５２０をユーザに露出させる。第２話ストーリ広告５２０を露出させた後、広告サービスシステムは、第２話ストーリ広告５２０がユーザに認識されれば、第３話ストーリ広告５３０をユーザに露出させる。
【００５０】
このように、本発明に係る広告サービスシステムは、ストーリ順序を有するストーリーテリング広告を露出させるときに、露出された広告がユーザによって認識された場合に、露出された広告の次のストーリ順序の広告を露出させることができる。
【００５１】
また、広告サービスシステムは、第１〜第３話ストーリ広告５１０〜５３０のうちでユーザによって選択された広告を露出させることもできる。
【００５２】
図６は、本発明の他の実施形態に係る広告サービスシステムの構成を示す図である。
【００５３】
図６を参照すれば、広告サービスシステム６００は、広告提供部６１０と、広告露出部６２０と、判断部６３０と、選択部６４０とを備える。
【００５４】
広告提供部６１０は、ユーザに露出させる各種広告を提供する。広告は、複数のシリーズ広告または複数のテーマ広告を含む。
【００５５】
広告露出部６２０は、広告提供部６１０から提供される広告をユーザに露出させる。さらに、広告露出部６２０は、ユーザに露出される広告がユーザによって認識された広告である場合に、広告と関連した他の広告をユーザに露出させる。
【００５６】
提供される広告が複数のシリーズ広告である場合に、広告露出部６２０は、複数のシリーズ広告のうちで広告領域に露出された広告がユーザに認識されれば、複数のシリーズ広告のうちでユーザによって認識されたシリーズ広告以外の他のシリーズ広告をユーザに露出させる。
【００５７】
提供される広告が複数のテーマを有する広告である場合に、広告露出部６２０は、露出された広告がユーザによって複数のテーマ広告のうちの一部テーマ広告が認識されれば、複数のテーマ広告のうちでユーザによって認識された一部テーマ広告以外の他のテーマ広告をユーザに露出させる。
【００５８】
判断部６３０は、広告露出部６２０によって広告領域に露出された広告がユーザによってマウスオーバされたりクリックされたりした場合に、露出された広告がユーザに認識されたものと判断する。すなわち、判断部６３０は、広告領域に露出された広告がユーザによってマウスオーバされた場合に、露出された広告がユーザに認識されたものと判断することができる。また、判断部６３０は、露出された広告がユーザによってクリックされた場合に、露出された広告がユーザに認識されたものと判断することができる。
【００５９】
広告露出部６２０は、判断部６３０によって露出された広告がユーザに認識されたものと判断されれば、露出された広告と関連した他の広告をユーザに露出させる。露出された広告が全体ストーリーテリング広告のうちの一部分である場合に、広告露出部６２０は、全体ストーリーテリング広告のうちでユーザに認識されていない他の部分のストーリーテリング広告をユーザに露出させる。
【００６０】
例えば、広告が図５に示すように、第１〜第３話ストーリを有するストーリーテリング広告である場合に、広告露出部６２０は、広告領域に第１話ストーリ広告５１０を露出させて第１話ストーリ広告５１０がユーザに認識された場合に、第１話ストーリ広告以外の第２話ストーリ広告５２０または第３話ストーリ広告５３０をユーザに露出させる。すなわち、広告露出部６２０は、第１話ストーリ広告５１０がユーザに認識されれば、第１話ストーリ広告５１０を除いた残りのストーリ広告である第２話ストーリ広告５２０または第３話ストーリ広告５３０を露出させることができる。また、広告露出部６２０は、第１話ストーリ広告５１０がユーザに認識されれば、第２話ストーリ広告５２０および第３話ストーリ広告５３０を順次に露出させることができる。
【００６１】
また、広告露出部６２０は、提供された広告が複数のテーマ広告である場合に、複数のテーマ広告のうちでユーザに露出されたテーマ広告を除いた他のテーマ広告をユーザに露出させる。
【００６２】
選択部６４０は、ユーザに露出される広告が複数のシリーズ広告または複数のテーマ広告である場合に、ユーザから複数のシリーズ広告または複数のテーマ広告のうちで所望する広告が選択される。
【００６３】
選択部６４０は、ユーザに提供される広告が例えば第１〜第７テーマ広告であり、露出されたテーマ広告が第１テーマ広告であって第１テーマ広告がユーザに認識された広告である場合に、ユーザから第１テーマ広告以外の他のテーマ広告である第２〜第７テーマのうちのいずれか１つが選択されることができる。
【００６４】
選択部６４０は、ユーザに提供される広告が、例えば第１〜第５話ストーリ広告であり、露出されたシリーズ広告が第３話ストーリ広告であって第３話ストーリ広告がユーザに認識された広告である場合に、ユーザから第３話ストーリ広告の以前の広告である第２話ストーリ広告または第３話ストーリ広告の次の広告である第４話のストーリ広告が選択されることができる。
【００６５】
広告露出部６２０は、選択部６４０によってユーザから選択された広告をユーザに露出させる。広告露出部６２０は、ユーザから第２話ストーリ広告が選択された場合には広告領域に第２話ストーリ広告を露出させ、ユーザから第４話ストーリ広告が選択された場合には広告領域に第４話ストーリ広告を露出させることができる。また、広告露出部６２０は、ユーザから第２テーマ広告が選択された場合には広告領域に選択された第２テーマ広告を露出させ、ユーザから第７テーマ広告が選択された場合には選択された第７テーマ広告を露出させることができる。
【００６６】
このように、本発明に係る広告サービスシステム６００は、ユーザに広告を露出させるときに、ユーザに以前に露出された広告または認識された広告と関連した他の広告を露出させることにより、さらに多様な広告をユーザに提供することができる。
【００６７】
また、本発明に係る広告サービスシステム６００は、ユーザに広告を一方的に露出させるのではなく、ユーザが所望するテーマ広告を選択することができるため、ユーザによって選択されたテーマ広告を露出させることができる。
【００６８】
また、本発明に係る広告サービスシステム６００は、提供される広告素材がストーリーテリング構造のシリーズ広告である場合に、ユーザに認識されていないシリーズ広告を露出させることにより、露出されたシリーズ広告に対するユーザの関心を増大させて広告効果を向上させることができる。
【００６９】
さらに、本発明に係る広告サービスシステム６００は、複数のテーマ広告である場合に、テーマ広告のうちでユーザに認識されていないテーマ広告を露出させることにより、露出されたテーマ広告に対するユーザの関心を増大させることができる。
【００７０】
なお、本発明に係る広告サービス方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。
【００７１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【００７２】
本発明によれば、インターネットウェブページを介してユーザに露出された広告がユーザに認識された場合に、露出された広告以外の他の広告を露出させる広告サービス方法およびそのシステムを提供することができる。
【００７３】
また、本発明によれば、インターネットウェブページを介してユーザに認識された広告である場合に、同じ広告主の他の広告内容を露出させる広告サービス方法およびそのシステムを提供することができる。
【００７４】
また、本発明によれば、インターネットウェブページを介して露出された広告がユーザに既に認識された広告である場合に、露出された広告に対する他のテーマ広告を露出させる広告サービス方法およびそのシステムを提供することができる。
【００７５】
また、本発明によれば、インターネットウェブページを介して露出された広告と関連した複数の広告が存在する場合に、複数の広告のうちでユーザによって選択された広告を露出させる広告サービス方法およびそのシステムを提供することができる。
【００７６】
さらに、本発明によれば、インターネットウェブページを介して露出された広告がユーザに認識された場合に、露出された広告と関連した他の広告を順次にユーザに露出させる広告サービス方法およびそのシステムを提供することができる。
【図面の簡単な説明】
【００７７】
【図１】本発明に係る広告サービスシステムの連動関係を示す図である。
【図２】本発明に係る広告素材およびテンプレートを示す図である。
【図３】本発明の一実施形態に係る広告サービス方法の流れを示す図である。
【図４】テーマ広告による広告サービスの一例を示す図である。
【図５】ストーリーテリング広告による広告サービスの一例を示す図である。
【図６】本発明の他の実施形態に係る広告サービスシステムの構成を示す図である。
【図１】
2009540420.tif 000003
【図２】
2009540420.tif 000004
【図３】
2009540420.tif 000005
【図４】
2009540420.tif 000006
【図５】
2009540420.tif 000007
【図６】
2009540420.tif 000008
【国際調査報告】
2009540420.tif 000009
2009540420.tif 000010